(57)【要約】【課題】使用時におけるパネル浮き・剥がれを防止し、最悪の場合内部基板の露出やシール性能の低下による不安全を回避する、信頼性、安全性の高い炊飯器を実現する。【解決手段】炊飯器の本体の内部に着脱自在に収納された鍋と、前記本体の開口を開閉自在に覆う蓋体と、動作の操作入力や動作状態の表示をするパネル６とを有し、前記パネル裏面に設けられた固定ピン１１を固定部の固定穴１２に貫通させ、さらに、前記固定ピン外周面にプッシュナット１３を装着したことにより、使用時にパネルに蒸気が当たることでパネルの温度が上昇してもパネルの浮き・剥がれを防止できるため、最悪の場合内部基板の露出やシール性能の低下による不安全を回避することが可能となるものである。【選択図】図２
2010187895.tif 000002
【特許請求の範囲】
【請求項１】
本体と、前記本体の内部に着脱自在に収納された鍋と、前記本体の開口を開閉自在に覆う蓋体と、動作の操作入力や動作状態の表示をするパネルとを有し、前記パネル裏面に設けられた固定ピンを固定部の固定穴に貫通させ、さらに、前記固定ピン外周面にプッシュナットを装着した炊飯器。
【請求項２】
固定ピンの周辺に変形防止リブを配設した請求項１記載の炊飯器。
【請求項３】
固定部の内側にプッシュナット押さえ手段を設け、プッシュナットを固定部と前記プッシュナット押さえ手段との間に挟持した請求項１または２記載の炊飯器。
【請求項４】
固定部とプッシュナット押さえ手段との間の隙間をプッシュナットの板厚よりも大きく設定した請求項３記載の炊飯器。
【請求項５】
本体と、前記本体内部に着脱自在に収納される鍋と、前記本体開口面を開閉自在に覆う蓋体と、動作を操作入力する操作部や動作状態を表示する表示部を配設したパネルとを有し、前記本体に設けられた固定ピンを前記パネルに設けられた固定穴に貫通させるとともに、パネルより飛び出した部位にプッシュナットを装着した炊飯器。
【発明の詳細な説明】
【技術分野】
【０００１】
本発明は、一般家庭、あるいは業務用に使用する炊飯器に関するものである。
【背景技術】
【０００２】
従来、この種の炊飯器は、本体と、本体に着脱自在に設けられた鍋と、鍋上面を開閉自在に覆うとともに、操作部を配置した蓋体とを備え、前記操作部の表面は透明の合成樹脂製のパネルにより覆われた構成を採っていた。
【０００３】
パネルは、その裏側より突設した複数のツメを本体に係合することにより固定されるようにしていた。
【０００４】
また、パネルの裏面には、機器を動作させる基板が配設されており、そのため、機器使用時や手入れ時に本体に付着した水が流入することを防止するために、パネルと本体の隙間に両面テープなどのシール部材を補助的に設けている場合が多かった（例えば、特許文献１，２参照）。
【特許文献１】特開２００１−３２１２６４号公報
【特許文献２】特開２００６−１４１６００号公報
【発明の開示】
【発明が解決しようとする課題】
【０００５】
しかしながら、従来構成の炊飯器においては、ツメが嵌合している前提で変形や浮きに対する配慮を行ってきている。
【０００６】
例えば、ご飯が炊き上がった後の乾燥を防ぐために、蓋体の上を布巾で被せた状態で炊飯をすることがあるが、その時パネルの蒸気孔から出た蒸気が布巾によって外部に排出するのを封じ込められ、蒸気孔周辺のパネルが１００℃程度まで加熱されてしまう。
【０００７】
この時、パネルは軟化や熱による収縮を起こし変形しようとするが、爪での固定の場合は爪自体が熱により軟化して、外れる方向に変形しやすくなり、パネルを保持できなくなることがあった。
【０００８】
本発明は以上の事情に鑑みてなされたもので、パネルが蒸気などで熱せられた場合でもパネルを本体に確実に保持させる手段を得ることで、パネルの浮き上がり・剥がれを防止し、浮き上がりに伴う水や蒸気の浸入による表示の曇りや操作異常、内部基板の露出やその他シール性能の低下による不安全を回避するものである。
【課題を解決するための手段】
【０００９】
上記問題を解決するために本発明は、本体と、前記本体内部に着脱自在に収納される鍋と、前記本体開口面を開閉自在に覆う蓋体と、動作の操作入力や動作状態の表示をするパネルとを有し、前記パネル裏面に設けられた固定ピンが本体パネル固定部に設けられた固定穴を貫通配置して、前記固定ピン外周面にプッシュナットを装着したものである。
【発明の効果】
【００１０】
本発明によれば、パネルが炊飯による蒸気などによって加熱されても、本体との固定を確実に維持することでパネルの浮き・剥がれを防止でき、シールを確実に行うことが可能となるため、水や蒸気の浸入による表示の曇りや操作異常、内部基板の露出やその他シール性能の低下による不安全を回避することができる。
【発明を実施するための最良の形態】
【００１１】
第１の発明は、本体と、前記本体の内部に着脱自在に収納された鍋と、前記本体の開口を開閉自在に覆う蓋体と、動作の操作入力や動作状態の表示をするパネルとを有し、前記パネル裏面に設けられた固定ピンを固定部の固定穴に貫通させ、さらに、前記固定ピン外周面にプッシュナットを装着したことにより、炊飯中などにおけるパネルの固定を確実に確保することができ、パネル浮き・剥がれを防止し、シールを確実に行うことが可能となるため、水や蒸気の浸入による表示の曇りや操作の異常、内部基板の露出やその他シール性能の低下による不安全を回避することができるものである。
【００１２】
第２の発明は、前記第１の発明において、固定ピンの周辺に変形防止リブを配設したことにより、固定ピンで固定されてパネルの浮き上がりを固定ピン部だけでなく、その周囲まで変形の防止範囲を広げることで、固定ピンの効果を最大限に生かし、更には固定ピンの数を最小限に抑える事ができるものである。
【００１３】
第３の発明は、前記第１または第２の発明において、固定部の内側にプッシュナット押さえ手段を設け、プッシュナットを固定部と前記プッシュナット押さえ手段との間に挟持したことにより、プッシュナットを固定するのに、プッシュナットを所定の位置にセットしておけば、パネルをセットするだけで、自動的にプッシュナットがセットできるので、効率的に組立作業を行うことができる。
【００１４】
第４の発明は、前記第３の発明において、固定部とプッシュナット押さえ手段との間の隙間をプッシュナットの板厚よりも大きく設定したことにより、パネルをセットする時にプッシュナットの穴中心と、固定ピンの軸中心がばらつきでずれていた時でも、固定ピン先端部がプッシュナットの穴に入るにつれてプッシュナットが固定ピンの軸中心に合う位置にずれていき、所定の位置にセットできるものである。
【００１５】
第５の発明は、本体と、前記本体内部に着脱自在に収納される鍋と、前記本体開口面を開閉自在に覆う蓋体と、動作を操作入力する操作部や動作状態を表示する表示部を配設したパネルとを有し、前記本体に設けられた固定ピンを前記パネルに設けられた固定穴に貫通させるとともに、パネルより飛び出した部位にプッシュナットを装着したことにより、炊飯中等におけるパネルの固定を確実に確保することができ、パネル浮き・剥がれを防止し、シールを確実に行うことが可能となる。
【００１６】
以下、本発明の実施の形態について、図面を参照しながら説明する。なお、この実施の形態によって本発明が限定されるものではない。
【００１７】
（実施の形態１）
図１〜３において、１は上面が開口した本体であり、２は鍋で、本体１に着脱自在に収納されている。
【００１８】
本体１の上面開口部を覆う位置には蓋体３が設けられており、蓋体３は本体１の後方に設けられたヒンジ軸４により回動自在に枢支されている。蓋体３には、鍋２内で発生する蒸気を排出する為の蒸気孔５が貫通して配置されている。
【００１９】
蓋体３は、表面中央部にパネル６を配置した外蓋７で構成されおり、また、前記パネル６には機器の操作を行うための操作部、および動作状態の表示を行なう表示部が配置されている。８は外蓋７とパネル６との間に配置した操作基板である。
【００２０】
パネル６の裏面には複数のツメ９が設けられており、ツメ９を外蓋７を貫通させて係合
することで同外蓋７に固定されている。
【００２１】
パネル６と外蓋７との間には、使用時や手入れ時における本体１の内部への水侵入を防止するために、シール用両面テープ１０が設けられている。
【００２２】
また、パネル６裏面から突設された円筒状の固定ピン１１が外蓋７に形成した固定穴１２を貫通するようにしてあり、この固定ピン１１には、蓋体３を組立てる中でパネル６をセットした後に、外蓋７の内側からプッシュナット１３が固定される。
【００２３】
ここで、炊飯動作中における蒸気孔５周辺の状態について説明する。
【００２４】
炊飯を開始し、鍋２内が加熱されると、蒸気孔５から蒸気が排出される。炊飯中や保温中に蒸気が外部に排出されない方がおいしさが長く保たれ、また、ごみなどが蒸気孔５から入るのを防ぐため、蓋体３上に布巾などをかける使われ方をされることがある。
【００２５】
そのような条件で使用した場合、炊飯中に発生する蒸気は、蓋体３の表面、特に蒸気孔５が布巾によって塞がれ、高温蒸気がパネル６表面上に誘導される。したがって、パネル６が高温高湿雰囲気中に暴露される事になる。
【００２６】
パネル６は、成形した時に残った残留応力やその表面を構成する印刷フィルムとの熱収縮の差があるため、高温になると変形し、浮き上がろうとする。
【００２７】
パネル６が浮き上がると、外蓋７との間のシール性の確保は困難となり、操作基板８に水や蒸気の流入する可能性が生じ、機器の誤動作や、内部基板の露出の恐れがある。
【００２８】
したがって、プッシュナット１３でパネル６を外蓋７に機械的に固定をして、熱変形を防止する。
【００２９】
ここで、固定ピン１１の両側には変形防止リブ１４が形成されている。変形防止リブ１４の断面は、図２に示すような断面形状をしており、固定ピン１１の側部を通り、パネル６の幅の狭い部位、即ち、強度の弱い部位を縦断するように配置されている。
【００３０】
変形防止リブ１４を配置することで固定ピン１１の周辺の剛性を高め、熱変形するのを防ぎ、かつプッシュナット１３の数をむやみに増やす必要が無い。
【００３１】
これにより、パネル１１と本体１の係合が確実となり、機器使用時におけるパネル浮き・剥がれを防止でき、シールを確実に行うことが可能となるため、水や蒸気の浸入による表示の曇りや操作異常、内部基板の露出やその他シール性能の低下による不安全を回避することができる。
【００３２】
なお、本実施の形態ではパネル６を外蓋７に固定する構成で説明したが、蓋体３を構成する他部品や、本体１に固定する時も、当然同様の効果が期待できる。
【００３３】
（実施の形態２）
図４，５は、実施の形態２を示し、図２と同作用を行う構成部分には同一符号を付し、その具体的説明は実施の形態１のものを援用する。
【００３４】
すなわち、プッシュナット１３のパネル６と反対側には、プッシュナット押さえ手段１５が外蓋７に固定してある。
【００３５】
ここで、パネル６を蓋体３にセットする前の状態を図５に示す。
【００３６】
プッシュナット１３は、プッシュナット押さえ手段１５と外蓋７との間に挟持されている。
【００３７】
プッシュナット１３は、水平方向に自在に摺動することができるように、プッシュナット押さえ手段１５と外蓋７との間の隙間をプッシュナット１３の板厚よりも大きく設定している。
【００３８】
この状態で、パネル６を蓋体３にセットをする。所定の位置にセットされる直前に、固定ピン１１の先端部がプッシュナット１３の穴部に差し込まれる。固定ピン１１の先端はプッシュナット１３の誘いのために球面状、または面取りをした形状となっており、プッシュナット１３が固定ピン１１と位置ずれしていた時は、固定ピン１１先端部によって固定ピン１１の軸中心と一致した位置まで横滑りして誘導され、さらに、パネル６を押し込むと、プッシュナット１３はプッシュナット押さえ手段１５によって蓋体３の内側から支えられることで固定ピン１１の奥まで差し込まれる。
【００３９】
（実施の形態３）
図６は、実施の形態２３示し、図２，４と同作用を行う構成部分には同一符号を付し、その具体的説明は実施の形態１，２のものを援用する。
【００４０】
外蓋７に設けられた、凹形状の中心部から円筒状の固定ピン１６が突き出している。この固定ピン１６はパネル６に設けられた固定穴１７を貫通するように配置されており、蓋体３を組立てる中でパネル６を所定の位置にセットした後に、パネル６の上側からプッシュナット１３を固定ピン１６に装着する。
【００４１】
固定ピン１６を装着した上からは、プッシュナットカバー１８をセットして、プッシュナット１３を隠す。このプッシュナットカバー１８は、粘着材の付いたシート状のものを貼り付けるか、または、ゴム状のものを凹形状部に差し込めば良い。
【００４２】
なお、本実施の形態は、実施の形態１と同じくパネル６のセット位置を蓋体３ではなく、本体１にセットする場合にも同様の効果が得られることは言うまでもない。
【産業上の利用可能性】
【００４３】
以上のように、家庭用のみならず業務用の炊飯器の用途、およびパネルを備えた他の電気機器にも応用できるものである。
【図面の簡単な説明】
【００４４】
【図１】本発明の実施の形態１における炊飯器の断面図
【図２】同炊飯器の要部断面図
【図３】同炊飯器のパネル部分の裏面図
【図４】本発明の実施の形態２における炊飯器の要部断面図
【図５】同炊飯器におけるパネルセット時の要部断面図
【図６】本発明の実施の形態３における炊飯器の要部断面図
【符号の説明】
【００４５】
１  本体
２  鍋
３  蓋体
６  パネル
１１，１６  固定ピン
１２，１７  固定穴
１３  プッシュナット
１４  変形防止リブ
１５  プッシュナット押さえ手段
【図１】
2010187895.tif 000003
【図２】
2010187895.tif 000004
【図３】
2010187895.tif 000005
【図４】
2010187895.tif 000006
【図５】
2010187895.tif 000007
【図６】
2010187895.tif 000008